(57)【要約】【課題】シワなどによる空隙の発生を十分に防止できケーシングに容易かつ確実に貼り付け可能なシート状加熱ユニット、それを備えた便座装置およびそれを備えた衛生洗浄装置を提供する。【解決手段】衛生洗浄装置は、着座部の加熱機能を有する便座装置を備える。便座装置は便座を備える。便座においては、着座部を有する上部ケーシングの下面に便座ヒータ４５０が貼り付けられる。上部ケーシングは第１の側部、第２の側部および後部を有する。上部ケーシングの第１の側部、第２の側部および後部は、それぞれ内側縁部および外側縁部を有する。便座ヒータ４５０は、上部ケーシングの複数の内側縁部に対応する複数の内側縁部ＩＩ１，ＩＩ２，ＩＩ３を有する。便座ヒータ４５０の複数の内側縁部ＩＩ１，ＩＩ２，ＩＩ３からなる便座ヒータ４５０の内側部分に複数の切り込み部Ｓ１，Ｓ２が形成されている。【選択図】図９
2011056100.tif 000002
【特許請求の範囲】
【請求項１】
内側縁部、外側縁部および着座面を有するケーシングの下面に設けられるシート状加熱ユニットであって、
前記ケーシングの下面に貼り付け可能なシート状の熱伝達部材と、
前記熱伝達部材に設けられる発熱体と、
を備え、
前記熱伝達部材は、前記ケーシングの内側縁部および外側縁部に対応する内側縁部および外側縁部を有し、
前記熱伝達部材の内側縁部に複数の切り込みが形成されている、
シート状加熱ユニット。
【請求項２】
前記熱伝達部材は、
前後方向に延びる中心線を対称軸として略線対称となる位置にそれぞれ設けられる第１の側部および第２の側部と、
前記第１の側部および前記第２の側部の一端を互いにつなぐ後部と、
を有しており、
前記複数の切り込みは、前記中心線を対称軸として略線対称となる位置に設けられている、
請求項１に記載のシート状加熱ユニット。
【請求項３】
前記複数の切り込みは、
前記第１の側部と前記後部との境界部に設けられる第１の切り込みと、
前記第２の側部と前記後部との境界部に設けられる第２の切り込みと、
を含んでいる、
請求項２に記載のシート状加熱ユニット。
【請求項４】
前記複数の切り込みは、
前記第１の側部に設けられる第３の切り込みと、
前記第２の側部に設けられる第４の切り込みと、
を含んでいる、
請求項２または３に記載のシート状加熱ユニット。
【請求項５】
前記複数の切り込みは、前記後部に設けられる第５の切り込みおよび第６の切り込みを含んでいる、
請求項２〜４のいずれかに記載のシート状加熱ユニット。
【請求項６】
前記ケーシングの下面は、前後方向に延びる中心線を対称軸として略線対称となる状態で湾曲するように形成されるとともに前記中心線の両側に曲率半径が最小となる部分をそれぞれ有し、
前記複数の切り込みは、前記ケーシングの前記曲率半径が最小となる部分に重なる位置にそれぞれ設けられる第７の切り込みおよび第８の切り込みを含んでいる、
請求項１〜５のいずれかに記載のシート状加熱ユニット。
【請求項７】
便器上に取り付け可能な便座を備え、
前記便座は、
内側縁部、外側縁部および着座面を有するケーシングと、
請求項１〜６のいずれかに記載のシート状加熱ユニットと、
を備える、
便座装置。
【請求項８】
便器上に取り付け可能でかつ給水源から供給される洗浄水を人体に噴出する衛生洗浄装置であって、
請求項７記載の便座装置と、
前記便座装置の前記便座を前記便器の上面上で開閉可能に支持する本体部と、
前記本体部に設けられ、給水源から供給される洗浄水を人体に噴出するノズル装置と、
を備える、
衛生洗浄装置。
【発明の詳細な説明】
【技術分野】
【０００１】
本発明は、シート状加熱ユニット、それを備えた便座装置およびそれを備えた衛生洗浄装置に関する。
【背景技術】
【０００２】
従来より、使用者が冷え切った便座に着座する際の不快感を防止するために暖房機能を備えた便座装置がある。特許文献１には、略楕円形状の上部便座ケーシング、略馬蹄形状の便座ヒータ、および略楕円形状の下部便座ケーシングを備える便座装置が記載されている。
【０００３】
この便座装置においては、上部便座ケーシングの下面に、シート状の加熱ユニットが貼り付けられる。加熱ユニットは、発熱線を含む線状ヒータが上部便座ケーシングとほぼ同じ形状を有する２枚のアルミニウム薄膜で挟み込まれた構造を有する。ヒータ駆動部から線状ヒータに電流が供給されることにより線状ヒータの発熱線が発熱する。発熱線の熱が線状ヒータを挟み込む２枚のアルミニウム薄膜の全体に迅速に伝達し、上部便座ケーシングの全体が迅速に加熱される。それにより、使用者は快適に上部便座ケーシングに着座することができる。
【先行技術文献】
【特許文献】
【０００４】
【特許文献１】特開２００８−２５３７４８号公報
【発明の概要】
【発明が解決しようとする課題】
【０００５】
上記の便座装置において、上部便座ケーシングと加熱ユニットとの間に多数の空隙が存在すると、加熱ユニットから上部便座ケーシングへの熱の伝達効率が低下する。そのため、使用者が上部便座ケーシングに着座したときに温度むらを感じる場合がある。
【０００６】
さらに、このような空隙は、上部便座ケーシングと加熱ユニットとの間の接着強度を低下させる。そのため、加熱ユニットが上部便座ケーシングから剥離しやすくなる。
【０００７】
そのため、上記特許文献１の便座装置の作製時には、上部便座ケーシングと加熱ユニットとの間にできる限り空隙が形成されないように貼り付け作業を行うことが求められる。しかしながら、このような貼り付け作業には熟練が必要となる。
【０００８】
本発明の目的は、シワなどによる空隙の発生を十分に防止できケーシングに容易かつ確実に貼り付け可能なシート状加熱ユニット、それを備えた便座装置およびそれを備えた衛生洗浄装置を提供することである。
【課題を解決するための手段】
【０００９】
（１）本発明において、第１の発明に係るシート状加熱ユニットは、内側縁部、外側縁部および着座面を有するケーシングの下面に設けられるシート状加熱ユニットであって、ケーシングの下面に貼り付け可能なシート状の熱伝達部材と、熱伝達部材に設けられる発熱体と、を備え、熱伝達部材は、ケーシングの内側縁部および外側縁部に対応する内側縁部および外側縁部を有し、熱伝達部材の内側縁部に複数の切り込みが形成されているものである（請求項１）。
【００１０】
このシート状加熱ユニットにおけるシート状の熱伝達部材は、ケーシングの下面に貼り付けられる。発熱体により発生される熱は、熱伝達部材を介してケーシングに伝達される。
【００１１】
ケーシングの内側縁部に対応する熱伝達部材の内側縁部に複数の切り込みが形成されている。それにより、複数の切り込みにより熱伝達部材の複数の部分の位置関係に自由度が与えられる。したがって、ケーシングの下面への熱伝達部材の貼り付け時に、熱伝達部材の各部分をそれぞれ独立に位置決めすることが可能となる。その結果、熱伝達部材とケーシングとの間に空隙が生じることを十分に防止しつつ熱伝達部材をケーシングの下面に容易にかつ確実に貼り付けることが可能となる。
【００１２】
（２）また、本発明において、熱伝達部材は、前後方向に延びる中心線を対称軸として略線対称となる位置にそれぞれ設けられる第１の側部および第２の側部と、第１の側部および第２の側部の一端を互いにつなぐ後部と、を有しており、複数の切り込みは、中心線を対称軸として略線対称となる位置に設けられていてもよい（請求項２）。
【００１３】
この場合、ケーシングの下面への熱伝達部材の貼り付け時に、後部の中心部分を位置決めすることにより、空隙の発生を十分に防止できるように、第１の側部および第２の側部をそれぞれ容易かつ確実にケーシングの下面に貼り付けることが可能となる。
【００１４】
ここで本発明において、「前後方向に延びる中心線」とは、第１の発明に係るシート状加熱ユニットが搭載されるべき第２の発明に係る便座装置における便座の幾何学的中心線であって、この便座に着座した使用者から見て前方及び後方を結ぶ直線をいう。
【００１５】
（３）さらに、本発明において、上述の複数の切り込みは、第１の側部と後部との境界部に設けられる第１の切り込みと、第２の側部と後部との境界部に設けられる第２の切り込みと、を含んでいてもよい（請求項３）。
【００１６】
この場合、第１の切り込みおよび第２の切り込みにより熱伝達部材の第１の側部、第２の側部および後部の位置関係に自由度が与えられる。これにより、ケーシングの下面への熱伝達部材の貼り付け時に、後部をケーシングの下面に位置決めして貼り付けた状態で第１の側部および第２の側部をそれぞれケーシングの下面に位置決めすることができる。したがって、シワなどによる空隙の発生を十分に防止できるように、後部ならびに第１の側部および第２の側部を容易かつ確実にケーシングの下面に貼り付けることが可能となる。
【００１７】
（４）また、本発明において、複数の切り込みは、第１の側部に設けられる第３の切り込みと、第２の側部に設けられる第４の切り込みと、を含んでいてもよい（請求項４）。
【００１８】
この場合、第３の切り込みにより第１の側部の前方部分および後方部分の位置関係に自由度が与えられる。第４の切り込みにより第２の側部の前方部分および後方部分の位置関係に自由度が与えられる。これにより、ケーシングの下面への熱伝達部材の貼り付け時に、後部ならびに第１の側部および第２の側部の後方部分をケーシングの下面に位置決めして貼り付けた状態で第１の側部および第２の側部の前方部分をそれぞれケーシングの下面に位置決めすることができる。したがって、空隙の発生を十分に防止できるように、後部ならびに第１の側部および第２の側部を容易かつ確実にケーシングの下面に貼り付けることが可能となる。
【００１９】
（５）さらに、本発明において、複数の切り込みは、後部に設けられる第５の切り込みおよび第６の切り込みを含んでいてもよい（請求項５）。
【００２０】
この場合、後部においては、第５および第６の切り込みにより後部の中央部分、一端部分および他端部分の位置関係に自由度が与えられる。これにより、ケーシングの下面への熱伝達部材の貼り付け時に、後部の中央部分をケーシングの下面に位置決めして貼り付けた状態で後部の一端部分および他端部分ならびに第１の側部および第２の側部をそれぞれケーシングの下面に位置決めすることができる。したがって、空隙の発生を十分に防止できるように、後部ならびに第１の側部および第２の側部を容易かつ確実にケーシングの下面に貼り付けることが可能となる。
【００２１】
（６）また、本発明において、ケーシングの下面は、前後方向に延びる中心線を対称軸として略線対称となる状態で湾曲するように形成されるとともに中心線の両側に曲率半径が最小となる部分をそれぞれ有し、複数の切り込みは、ケーシングの上記曲率半径が最小となる部分に重なる位置にそれぞれ設けられる第７の切り込みおよび第８の切り込みを含んでいてもよい（請求項６）。
【００２２】
この場合、ケーシングの曲率半径が最小となる部分においては、熱伝達部材が折れ曲がった状態でケーシングの下面に貼り付けられる。このとき、熱伝達部材の折れ曲がり部分で分割される複数の部分の位置関係に自由度が与えられる。それにより、空隙の発生を十分に防止できるように、熱伝達部材を容易かつ確実に貼り付けることが可能となる。
【００２３】
（７）また、本発明において、第２の発明に係る便座装置は、便器上に取り付け可能な便座を備え、便座は、内側縁部、外側縁部および着座面を有するケーシングと、第１の発明に係るシート状加熱ユニットと、を備えるものである（請求項７）。
【００２４】
この便座装置は、第１の発明に係るシート状加熱ユニットを備える。このシート状加熱ユニットによれば、ケーシングの下面への熱伝達部材の貼り付け時に、熱伝達部材の各部分をそれぞれ独立に位置決めすることが可能となる。それにより、熱伝達部材とケーシングとの間に空隙が生じることを十分に防止しつつ熱伝達部材をケーシングの下面に容易にかつ確実に貼り付けることが可能となる。したがって、便座の組み立て作業が容易となり、便座装置の生産性が向上する。その結果、便座装置の低コスト化が実現される。
【００２５】
また、ケーシングの下面とシート状加熱ユニットの熱伝達部材との間に空隙の発生を十分に防止できるので、空隙に起因するケーシングの着座面上の温度むらの発生が十分に抑制される。
【００２６】
（８）さらに、本発明において、第３の発明に係る衛生洗浄装置は、便器上に取り付け可能でかつ給水源から供給される洗浄水を人体に噴出する衛生洗浄装置であって、第２の発明に係る便座装置と、便座装置の便座を便器の上面上で開閉可能に支持する本体部と、本体部に設けられ、給水源から供給される洗浄水を人体に噴出するノズル装置と、を備えるものである（請求項８）。
【００２７】
この衛生洗浄装置においては、第２の発明に係る便座装置が設けられているので、使用者が加温された便座に着座した状態でノズル装置から人体に洗浄水が噴射される。
【００２８】
第２の発明に係る便座装置の便座の組み立て作業は容易であるので、衛生洗浄装置の生産性が向上する。したがって、衛生洗浄装置の低コスト化が実現される。また、便座のケーシングの下面とシート状加熱ユニットの熱伝達部材との間に空隙が生じることを十分に防止できるので、空隙に起因するケーシングの着座面上の温度むらの発生が十分に抑制される。したがって、使用者は快適に便座に着座することができる。
【発明の効果】
【００２９】
本発明によれば、シワなどによる空隙の発生を十分に防止できケーシングに容易かつ確実にシート状加熱ユニットを貼り付けることができる。
【図面の簡単な説明】
【００３０】
【図１】第１の実施の形態に係る衛生洗浄装置を示す外観斜視図。
【図２】図１の遠隔操作装置の正面図。
【図３】図１の衛生洗浄装置の基本構成を説明するための模式図。
【図４】図１の便座の分解斜視図。
【図５】図４の上部ケーシングの平面図。
【図６】（ａ）は図４の上部ケーシングの平面図、（ｂ）は図４の上部ケーシングのＡ１−Ａ１線縦断面図、（ｃ）は図４の上部ケーシングのＡ２−Ａ２線縦断面図、（ｄ）は図４の上部ケーシングのＢ１−Ｂ１線縦断面図、（ｅ）は図４の上部ケーシングのＢ２−Ｂ２線縦断面図。
【図７】図４の便座ヒータの平面図。
【図８】（ａ）は便座ヒータの一部を示す拡大平面図、（ｂ）は（ａ）のＣ−Ｃ線断面図。
【図９】図７の便座ヒータに形成される切り込み部の位置を説明するための平面図。
【図１０】図９の切り込み部を示す便座ヒータの一部拡大平面図。
【図１１】第２の実施の形態に係る便座ヒータを示す平面図。
【図１２】第３の実施の形態に係る便座ヒータを示す平面図。
【発明を実施するための形態】
【００３１】
以下、本発明の一実施の形態に係るシート状加熱ユニット、それを備えた便座装置およびそれを備えた衛生洗浄装置について図面を参照しつつ説明する。なお、以下の説明では、シート状加熱ユニットの一例として便座ヒータを説明する。
【００３２】
［Ａ］第１の実施の形態
（１）衛生洗浄装置の外観
図１は第１の実施の形態に係る衛生洗浄装置を示す外観斜視図である。図１に示すように、衛生洗浄装置１００は、主として本体部２００、遠隔操作装置３００、便座４００、蓋部４１０Ｃおよび入室検知センサ６００により構成される。この衛生洗浄装置１００の便座４００はトイレットルーム内で便器７００の上面上に取り付けられる。
【００３３】
本体部２００には、便座４００および蓋部４１０Ｃが開閉可能に取り付けられている。また、本体部２００には、後述する洗浄水供給系（以下、給水系と呼ぶ。）およびノズル装置５００が設けられるとともに、後述の制御部９０（図３）が内蔵されている。
【００３４】
図１に示すように、本体部２００の正面下部にノズル装置５００の一部である人体洗浄ノズル５４０が露出している。人体洗浄ノズル５４０は、給水系を介して水道配管に接続されている。人体の局部の洗浄時には、人体洗浄ノズル５４０が便器７００内に突出し、人体の局部に洗浄水を噴出する。
【００３５】
本体部２００の正面上部には、着座センサ６１０が設けられる。着座センサ６１０は、例えば反射型の赤外線センサである。この場合、着座センサ６１０は、人体から反射された赤外線を検知することにより便座４００上に使用者が存在することを検出する。
【００３６】
遠隔操作装置３００には、複数のスイッチが設けられている。遠隔操作装置３００は、例えば便座４００上に着座する使用者が操作可能な場所に取り付けられる。
【００３７】
入室検知センサ６００は、トイレットルームの入口等に取り付けられる。入室検知センサ６００は、例えば反射型の赤外線センサである。この場合、入室検知センサ６００は、人体から反射された赤外線を検知することによりトイレットルーム内に使用者が入室したことを検出する。
【００３８】
本体部２００の制御部９０（図３）は、遠隔操作装置３００から送信される信号ならびに入室検知センサ６００および着座センサ６１０から出力される信号に基づいて、衛生洗浄装置１００の各部の動作を制御する。
【００３９】
（２）遠隔操作装置の構成
図１の遠隔操作装置３００により操作可能な衛生洗浄装置１００の主な機能について図２を参照しつつ説明する。図２は、図１の遠隔操作装置３００の正面図である。遠隔操作装置３００は、コントローラ本体部３０１の前面の下部にコントローラ蓋部３０２が開閉自在に設けられた構造を有する（図２（ａ）太矢印参照）。
【００４０】
図２（ａ）に示すように、コントローラ蓋部３０２が閉じられた状態で、コントローラ本体部３０１の前面の上部には、強さ調整スイッチ３２２，３２３および位置調整スイッチ３２４，３２５が設けられる。コントローラ蓋部３０２には、停止スイッチ３１１、おしりスイッチ３１２およびビデスイッチ３１３が設けられる。
【００４１】
使用者により、上記スイッチ３１１〜３１３，３２２〜３２５が操作される。これにより、遠隔操作装置３００から図１の本体部２００に各スイッチ３１１〜３１３，３２２〜３２５に応じた信号が無線送信される。本体部２００の制御部９０（図３）は、受信した信号に基づいて本体部２００（図１）および便座４００（図１）の各構成要素の動作を制御する。
【００４２】
例えば、使用者がおしりスイッチ３１２またはビデスイッチ３１３を操作することにより、後述する人体洗浄ノズル５４０（図３）から使用者の局部に洗浄水が噴出される。また、使用者が停止スイッチ３１１を操作することにより、人体洗浄ノズル５４０からの洗浄水の噴出が停止される。
【００４３】
使用者が強さ調整スイッチ３２２，３２３を操作することにより、使用者の局部に噴出される洗浄水の流量および圧力等が調整される。また、使用者が位置調整スイッチ３２４，３２５を操作することにより、人体洗浄ノズル５４０（図３）の位置が調整される。これにより、使用者の局部への洗浄水の噴出位置が調整される。
【００４４】
図２（ｂ）に、コントローラ蓋部３０２が開かれた状態の遠隔操作装置３００の正面図が示されている。図２（ｂ）に示すように、コントローラ蓋部３０２により覆われるコントローラ本体部３０１の前面の下部には、上述の停止スイッチ３１１、おしりスイッチ３１２およびビデスイッチ３１３に加えて、自動開閉スイッチ３３１および便座温度調整スイッチ３３３が設けられる。
【００４５】
これらのスイッチ３１１〜３１３，３３１，３３３が操作される場合にも、遠隔操作装置３００から本体部２００に各スイッチ３１１〜３１３，３３１，３３３に応じた信号が無線送信される。これにより、本体部２００の制御部９０は、受信した信号に基づいて本体部２００および便座４００の各構成要素の動作を制御する。
【００４６】
自動開閉スイッチ３３１がオン状態のときに、トイレットルームへの使用者の入室に応じて蓋部４１０Ｃが開閉される。使用者が便座温度調整スイッチ３３３を操作することにより、便座４００の温度が調整される。
【００４７】
（３）衛生洗浄装置の基本構成
図３は、図１の衛生洗浄装置１００の基本構成を説明するための模式図である。
【００４８】
（３−ａ）本体部の給水系
初めに、衛生洗浄装置１００の基本構成の一部として、本体部２００の給水系を説明する。図３に示すように、本体部２００は、衛生洗浄装置１００の給水系として、分岐水栓２、ストレーナ４、逆止弁５、定流量弁６、止水電磁弁７、流量センサ８、熱交換器９、水ポンプ１１、バッファタンク１２、ノズル装置５００、バキュームブレーカ３１，６１、サーミスタＳ１，Ｓ２および制御部９０を含む。
【００４９】
水道配管１に分岐水栓２が介挿される。分岐水栓２と熱交換器９との間に接続される配管３には、上流から下流に向かってストレーナ４、逆止弁５、定流量弁６、止水電磁弁７、サーミスタＳ１および流量センサ８がこの順で介挿される。熱交換器９とノズル装置５００との間に接続される配管１０には、上流から下流に向かってサーミスタＳ２、水ポンプ１１およびバッファタンク１２がこの順で介挿される。
【００５０】
ノズル装置５００は、切替弁１３、人体洗浄ノズル５４０およびノズル洗浄ノズル５２０を含む。人体洗浄ノズル５４０には、直線流路５５１、旋回流路５５２およびビデ流路５５３が形成されている。切替弁１３には切替弁モータ１３ｍが接続される。
【００５１】
切替弁１３は複数のポートを含む。切替弁１３の複数のポートに人体洗浄ノズル５４０の複数の流路５５１，５５２，５５３およびノズル洗浄ノズル５２０がそれぞれ接続されている。
【００５２】
バキュームブレーカ３１は、止水電磁弁７と流量センサ８との間の配管３の部分から延びる分岐配管３０に接続される。バキュームブレーカ３１には、分岐配管３２の一端が接続される。バキュームブレーカ６１はバッファタンク１２に設けられる。
【００５３】
本体部２００の給水系においては、止水電磁弁７が開状態となることにより、水道配管１を流れる浄水が洗浄水として分岐水栓２によりストレーナ４に供給される。そして、ストレーナ４から流れ出る洗浄水が、逆止弁５、定流量弁６および止水電磁弁７を通して熱交換器９に供給される。
【００５４】
このとき、サーミスタＳ１は、配管３内を流れる洗浄水の温度を測定し、制御部９０に測定温度値を与える。流量センサ８は、配管３内を流れる洗浄水の流量を測定し、制御部９０に測定流量値を与える。熱交換器９は、配管３を通して供給される洗浄水を設定された温度に加熱する。
【００５５】
続いて、水ポンプ１１が、熱交換器９により加熱された洗浄水を加圧しつつバッファタンク１２を通してノズル装置５００の切替弁１３に供給する。サーミスタＳ２は、配管１０内を流れる洗浄水の温度を測定し、制御装置９０に測定温度値を与える。
【００５６】
熱交換器９および水ポンプ１１の動作は、流量センサ８から与えられる測定流量値およびサーミスタＳ１，Ｓ２から与えられる測定温度値に基づいて制御部９０により制御される。
【００５７】
上述のように、人体洗浄ノズル５４０は、使用者の局部の洗浄を行うために用いられる。ノズル洗浄ノズル５２０は、人体洗浄ノズル５４０における洗浄水の噴出部分を洗浄するために用いられる。
【００５８】
ノズル装置５００の切替弁１３は、切替弁モータ１３ｍが動作することにより、水ポンプ１１から供給された洗浄水を上記の複数のポートのいずれかに選択的に供給する。これにより、人体洗浄ノズル５４０の複数の流路５５１，５５２，５５３およびノズル洗浄ノズル５２０のいずれかに洗浄水が選択的に供給される。
【００５９】
直線流路５５１に洗浄水が供給される場合には、人体洗浄ノズル５４０から人体の局部に直線状の洗浄水が噴出される。旋回流路５５２に洗浄水が供給される場合には、人体洗浄ノズル５４０から人体の局部に所定の広がり角度で分散されるように洗浄水が噴出される。ビデ流路５５３に洗浄水が供給される場合には、ビデ洗浄として人体洗浄ノズル５４０から洗浄水が噴出される。ノズル洗浄ノズル５２０に洗浄水が供給される場合には、ノズル洗浄ノズル５２０から人体洗浄ノズル５４０に向かって洗浄水が噴出される。
【００６０】
（３−ｂ）便座装置の構成
さらに、衛生洗浄装置１００の基本構成の一部として、便座装置１１０を説明する。便座装置１１０は、本体部２００の一部の構成要素、遠隔操作装置３００、便座４００および入室検知センサ６００を含む。図３に示すように、本体部２００は、便座装置１１０の構成要素として制御部９０、便座温度測定部４０１およびヒータ駆動部４０２を備える。また、便座４００はその内部に便座ヒータ４５０およびサーミスタ４０１ａを備える。
【００６１】
制御部９０は、例えばマイクロコンピュータからなり、使用者の入室および便座４００の温度等を判定する判定部、タイマ機能を有する計時部、種々の情報を記憶する記憶部、ならびに、ヒータ駆動部４０２の動作を制御するための通電率切替回路等を含む。
【００６２】
本体部２００の温度測定部４０１は、便座４００のサーミスタ４０１ａに接続されている。これにより、温度測定部４０１は、サーミスタ４０１ａから出力される信号に基づいて便座４００の温度を測定する。また、本体部２００のヒータ駆動部４０２は、便座４００の便座ヒータ４５０に接続されている。
【００６３】
この便座装置１１０においては、予め使用者が図２の遠隔操作装置３００の便座温度調整スイッチ３３３を操作することにより、制御部９０が内蔵するメモリに便座４００の温度が便座設定温度として記憶される。
【００６４】
制御部９０は、入室検知センサ６００から出力される信号に基づいてトイレットルーム内に使用者が入室したことを検出した場合に、予め記憶された便座設定温度、および温度測定部４０１により測定される便座４００の温度に基づいてヒータ駆動部４０２を制御する。これにより、トイレットルーム内に使用者が入室すると、便座４００の温度が便座設定温度となるように調整される。
【００６５】
（４）便座の構造
（４−ａ）便座の全体構造
図４は図１の便座４００の分解斜視図である。なお、図４の図面において、図３のサーミスタ４０１ａの図示は省略する。以下の説明では、便座４００に着座した使用者から見て前方側を便座４００の前部とし、着座した使用者から見て後方側を便座４００の後部とする。
【００６６】
図４に示すように、便座４００は、上部ケーシング４１０、便座ヒータ４５０および下部ケーシング４２０を備える。上部ケーシング４１０は、主としてアルミニウム合金などの金属板にプレス加工等を施すことにより形成され、略楕円形状を有する。便座ヒータ４５０は、上部ケーシング４１０に対応する形状を有する。詳細は後述する。下部ケーシング４２０は、主として合成樹脂により形成され、略楕円形状を有する。
【００６７】
便座４００の組み立て時には、上部ケーシング４１０の下面に便座ヒータ４５０が貼り付けられ、図３のサーミスタ４０１ａが取り付けられる。この状態で、上部ケーシング４１０と下部ケーシング４２０とが接合される。
【００６８】
図４に一点鎖線で示すように、上部ケーシング４１０の上面の一部が、便座４００への着座時に使用者の大腿部および臀部の一部が接触する着座部４１０Ｔとなる。このように、着座部４１０Ｔは、便座４００の前後方向における略中央部で中央部開口４００Ｈ（図５）を挟んで左右対称に位置する。
【００６９】
（４−ｂ）上部ケーシング
上部ケーシング４１０の形状について詳細を説明する。図５は図４の上部ケーシング４１０の平面図である。
【００７０】
図５に示すように、本例の上部ケーシング４１０は、第１の側部Ｒ１、第２の側部Ｒ２および後部Ｒ３を有する。第１の側部Ｒ１および第２の側部Ｒ２は、便座４００の前後方向に延びるとともに、便座４００の前後方向に沿う中心線ＣＬを対称軸として互いに略線対称となる位置にそれぞれ設けられる。第１の側部Ｒ１および第２の側部Ｒ２の前方部分は中心線ＣＬに向かって内側に湾曲して互いにつながっている。後部Ｒ３は、第１の側部Ｒ１および第２の側部Ｒ２を互いにつなぐように設けられる。
【００７１】
第１の側部Ｒ１は、内側縁部Ｉ１および外側縁部Ｊ１を有する。第２の側部Ｒ２は、内側縁部Ｉ２および外側縁部Ｊ２を有する。後部Ｒ３は、内側縁部Ｉ３および外側縁部Ｊ３を有する。
【００７２】
第１の側部Ｒ１、第２の側部Ｒ２および後部Ｒ３の内側縁部Ｉ１〜Ｉ３が上部ケーシング４１０の内周縁を形成する。第１の側部Ｒ１、第２の側部Ｒ２および後部Ｒ３の外側縁部Ｊ１〜Ｊ３が上部ケーシング４１０の外周縁を形成する。
【００７３】
上部ケーシング４１０の内側縁部Ｉ１〜Ｉ３は、上部ケーシング４１０の上面から下方へ折れ曲がるように形成されている。上部ケーシング４１０の外側縁部Ｊ１〜Ｊ３も上部ケーシング４１０の上面から下方へ折れ曲がるように形成されている。
【００７４】
図６（ａ）は図４の上部ケーシング４１０の平面図であり、図６（ｂ）は図４の上部ケーシング４１０のＡ１−Ａ１線縦断面図であり、図６（ｃ）は図４の上部ケーシング４１０のＡ２−Ａ２線縦断面図である。図６（ｄ）は図４の上部ケーシング４１０のＢ１−Ｂ１線縦断面図であり、図６（ｅ）は図４の上部ケーシング４１０のＢ２−Ｂ２線縦断面図である。
【００７５】
なお、図６（ａ）のＡ１−Ａ１線は上部ケーシング４１０の一方の内周面側端部ＳＰ１を通り前後方向に延びる中央部開口４００Ｈの接線ＳＬ１と一致し、図６（ａ）のＡ２−Ａ２線は上部ケーシング４１０の第１の側部Ｒ１の略中央部を通り前後方向に延びる直線ＳＬ２と一致する。
【００７６】
また、図６（ｄ）のＢ１−Ｂ１線は上部ケーシング４１０の他方の内周面側端部ＳＰ２を通り前後方向に延びる中央部開口４００Ｈの接線ＳＬ３と一致し、図６（ｅ）のＢ２−Ｂ２線は上部ケーシング４１０の第２の側部Ｒ２の略中央部を通り前後方向に延びる直線ＳＬ４と一致する。
【００７７】
図６（ａ）〜（ｅ）に示すように、上部ケーシング４１０は、水平面に略平行に形成された平坦部と、その平坦部から後方に向かって斜め上方に傾斜する傾斜部とを有する。平坦部と傾斜部とは連続的に湾曲しつつつながっている。
【００７８】
上部ケーシング４１０の上面においては、平坦部と傾斜部とがつながる部分で曲率半径が最小となる。以下、曲率半径が最小となる部分を折曲部ＣＵと呼ぶ。本実施の形態では、折曲部ＣＵは、上部ケーシング４１０の前後方向にほぼ直交する。また、第１の側部Ｒ１と後部Ｒ３との境界線は折曲部ＣＵと交差している。第２の側部Ｒ２と後部Ｒ３との境界線は折曲部ＣＵと交差している。
【００７９】
上部ケーシング４１０は全体に渡ってほぼ均一な厚みを有する。したがって、上部ケーシング４１０の下面も上面とほぼ同じ形状を有する。
【００８０】
（４−ｃ）便座ヒータ
続いて、便座ヒータ４５０について詳細を説明する。図７は図４の便座ヒータ４５０の平面図であり、図８（ａ）は便座ヒータ４５０の一部を示す拡大平面図であり、図８（ｂ）は図８（ａ）のＣ−Ｃ線断面図である。
【００８１】
図７に示すように、便座ヒータ４５０は、線状ヒータ４６０、アルミニウムからなる金属シート４７０および合成樹脂からなる絶縁シート４９０を含む。
【００８２】
金属シート４７０は、後述するように２枚のアルミニウム箔４７１，４７２（図８（ｂ））から構成される。線状ヒータ４６０は、２枚のアルミニウム箔４７１，４７２（図８（ｂ））により挟まれた状態で金属シート４７０内に保持され、金属シート４７０の全面に渡って蛇行するように設けられる。
【００８３】
図８（ａ）に上部ケーシング４１０の着座部４１０Ｔ（図４）に対応する部分の一部領域Ｃ８が示されている。図８（ａ）に示すように、この便座ヒータ４５０においては、上部ケーシング４１０の着座部４１０Ｔ（図４）に対応する部分で、線状ヒータ４６０が左右方向および前後方向に蛇行するように金属シート４７０内に設けられる。前後方向への蛇行部分は左右方向への蛇行部分を挟み込むように配置されている。
【００８４】
線状ヒータ４６０のヒータ始端部４６０ａおよびヒータ終端部４６０ｂは、便座部４００（図４）の後部の一方側から引き出されるリード線４９９にそれぞれ接続される。
【００８５】
図８（ｂ）に示すように、便座ヒータ４５０の作製時には、まず図５の上部ケーシング４１０の下面に対応した形状で切り出されたアルミニウム箔４７１の一面上に、線状ヒータ４６０が蛇行するように設けられる。
【００８６】
線状ヒータ４６０は、例えば断面円形の発熱線４６３ａ、エナメル層４６３ｂおよび絶縁被覆層４６２により構成される。発熱線４６３ａの外周面がエナメル層４６３ｂおよび絶縁被覆層４６２で順に被覆される。発熱線４６３ａおよびエナメル層４６３ｂによりエナメル線４６３が構成される。
【００８７】
次に、アルミニウム箔４７１の一面上に粘着層Ｂ１を介して他のアルミニウム箔４７２が貼り付けられる。これにより、線状ヒータ４６０が２枚のアルミニウム箔４７１，４７２により挟み込まれた状態で保持される。なお、２枚のアルミニウム箔４７１，４７２が図７の金属シート４７０を構成する。
【００８８】
続いて、金属シート４７０の一面上に、粘着層Ｂ２を介して絶縁フィルム４９１が貼り付けられる。さらに、金属シート４７０の他面を覆うように、アルミニウム箔４７２に粘着層Ｂ３を介して他の絶縁フィルム４９２が貼り付けられる。絶縁フィルム４９１，４９２は同じ外形を有する。
【００８９】
これにより、金属シート４７０が２枚の絶縁フィルム４９１，４９２により挟み込まれた状態で保持される。なお、２枚の絶縁フィルム４９１，４９２が図７の絶縁シート４９０を構成する。このようにして、便座ヒータ４５０が作製される。
【００９０】
本実施の形態において、絶縁シート４９０の端面４９０Ｅは金属シート４７０の端面４７０Ｅの外方に位置する。金属シート４７０の端面４７０Ｅから絶縁シート４９０の端面４９０Ｅまでの距離Ｗは、例えば５ｍｍである。この場合、金属シート４７０の端面４７０Ｅが絶縁シート４９０により確実に絶縁される。
【００９１】
図９は、図７の便座ヒータ４５０に形成される切り込み部の位置を説明するための平面図である。図９に示すように、便座ヒータ４５０は、上部ケーシング４１０の第１の側部Ｒ１、第２の側部Ｒ２および後部Ｒ３にそれぞれ対応する第１の側部Ｘ、第２の側部Ｙおよび後部Ｚを有する。図９では、金属シート４７０および絶縁シート４９０の外形を実線で表し、第１の側部Ｘ、第２の側部Ｙおよび後部Ｚを点線で表す。
【００９２】
図９に示すように、第１の側部Ｘおよび第２の側部Ｙは、便座ヒータ４５０の前後方向に延びるとともに、便座ヒータ４５０の前後方向に沿う中心線ＣＬを対称軸として互いに略線対称となる位置にそれぞれ設けられる。第１の側部Ｘおよび第２の側部Ｙの前方部分は中心線ＣＬに向かって内側に湾曲している。後部Ｚは、第１の側部Ｘおよび第２の側部Ｙを互いにつなぐように設けられる。
【００９３】
第１の側部Ｘは、上部ケーシング４１０の第１の側部Ｒ１の内側縁部Ｉ１および外側縁部Ｊ１にそれぞれ対応する内側縁部ＩＩ１および外側縁部ＪＪ１を有する。第２の側部Ｙは、上部ケーシング４１０の第２の側部Ｒ２の内側縁部Ｉ２および外側縁部Ｊ２にそれぞれ対応する内側縁部ＩＩ２および外側縁部ＪＪ２を有する。後部Ｚは、上部ケーシング４１０の後部Ｒ３の内側縁部Ｉ３および外側縁部Ｊ３にそれぞれ対応する内側縁部ＩＩ３および外側縁部ＪＪ３を有する。
【００９４】
本実施の形態の便座ヒータ４５０においては、前後方向に延びる便座ヒータ４５０の中心線ＣＬの両側で、中心線ＣＬを対称軸として略線対称となる位置に切り込み部Ｓ１，Ｓ２が形成されている。切り込み部Ｓ１は、内側縁部ＩＩ１と内側縁部ＩＩ２との境界部から第１の側部Ｘと後部Ｚとの境界線の途中まで延びている。切り込み部Ｓ２は、内側縁部ＩＩ２と内側縁部ＩＩ３との境界部から第１の側部Ｘと後部Ｚとの境界線の途中まで延びている。
【００９５】
（４−ｄ）切り込み部の先端部
図１０は、図９の切り込み部Ｓ１，Ｓ２を示す便座ヒータ４５０の一部拡大平面図である。図１０に示すように、切り込み部Ｓ１，Ｓ２の先端部においては、金属シート４７０および絶縁シート４９０にそれぞれ円形開口４７０Ｓ，４９０Ｓが形成されている。
【００９６】
このように、切り込み部Ｓ１，Ｓ２の先端部が円形開口４７０Ｓ，４９０Ｓを有することにより、後述する上部ケーシング４１０への便座ヒータ４５０の貼り付け時に、切り込み部Ｓ１，Ｓ２の先端部に大きな応力集中が発生することが防止される。それにより、便座ヒータ４５０の破損が防止される。
【００９７】
なお、便座ヒータ４５０の切り込み部Ｓ１，Ｓ２においても、金属シート４７０の端面４７０Ｅ（図８（ｂ）参照）から絶縁シート４９０の端面４９０Ｅ（図８（ｂ）参照）までの距離は、例えば５ｍｍに保持される。
【００９８】
（５）第１の実施の形態の効果
本実施の形態に係る便座ヒータ４５０においては、内側縁部ＩＩ１と内側縁部ＩＩ３との境界部から第１の側部Ｘと後部Ｚとの境界線の途中まで切り込み部Ｓ１が形成されている。また、内側縁部ＩＩ２と内側縁部ＩＩ３との境界部から第２の側部Ｘと後部Ｚとの境界線の途中まで切り込み部Ｓ２が形成されている。切り込み部Ｓ１，Ｓ２により第１の側部Ｘ、第２の側部Ｙおよび後部Ｚの位置関係に自由度が与えられる。
【００９９】
切り込み部Ｓ１，Ｓ２は、上部ケーシング４１０の折曲部ＣＵと重なる位置に設けられる。それにより、上部ケーシング４１０の下面への便座ヒータ４５０の貼り付け時には、上部ケーシング４１０の後部Ｒ３に便座ヒータ４５０の後部Ｚを折曲部ＣＵに沿って折り曲げつつ容易に位置決めして貼り付けた状態で、上部ケーシング４１０の第１の側部Ｒ１に便座ヒータ４５０の第１の側部Ｘを折曲部ＣＵに沿って折り曲げつつ容易に位置決めして貼り付けることができるとともに、上部ケーシング４１０の第２の側部Ｒ２に便座ヒータ４５０の第２の側部Ｙを折曲部ＣＵに沿って折り曲げつつ容易に位置決めして貼り付けることができる。
【０１００】
したがって、上部ケーシング４１０の下面と便座ヒータ４５０との間に空隙が生じることを十分に防止できるように、便座ヒータ４５０の後部Ｚならびに第１の側部Ｘおよび第２の側部Ｙを容易かつ確実に上部ケーシング４１０の下面に貼り付けることが可能となる。
【０１０１】
このように、便座ヒータ４５０を上部ケーシング４１０の下面に容易に貼り付けることが可能となるので、便座４００の組み立て作業が容易となり、便座装置１１０の生産性が向上する。その結果、便座装置１１０の低コスト化が実現される。
【０１０２】
さらに、上部ケーシング４１０の下面と便座ヒータ４５０との間に、貼り付け時において生じる便座ヒータのシワなどによる大きい空隙の発生を十分に防止できるので、空隙に起因する上部ケーシング４１０の温度むらの発生が十分に抑制される。したがって、使用者は快適に便座４００に着座することができる。
【０１０３】
また、切り込み部Ｓ１、Ｓ２は、貼り付け時に発生する便座ヒータ４５０のシワ等による大きい空隙をなくして、便座４００の温度むらや便座ヒータ４５０の剥離を防止できるだけでなく、便座ヒータ４５０を上部ケーシング４１０の下面に貼り付けるとき、切り込み部Ｓ１、Ｓ２によって貼り付ける際に、貼り付けるべき最適な位置に貼り付けるために、実際の貼り付け位置の微調整が容易に可能となる。そのため、貼り付け位置のバラツキを十分に抑制することができるようになる。
【０１０４】
しかも、本実施形態の場合、切り込み部Ｓ１、Ｓ２は、いわゆる隙間のある切り欠きではなく、隙間のない切り込みであるので、線状ヒータ４６０から上部ケーシング４１０への熱伝達をする金属シート４７０の空白スペースを十分に極小にできるので、温度むらをより少なくすることができるようになる。
【０１０５】
本実施の形態に係る衛生洗浄装置１００においては、上記のように、便座装置１１０の便座４００の組み立て作業が容易である。これにより、衛生洗浄装置１００の生産性が向上する。その結果、衛生洗浄装置１００の低コスト化が実現される。
【０１０６】
［Ｂ］第２の実施の形態
第２の実施の形態に係るシート状加熱ユニットについて、第１の実施の形態に係るシート状加熱ユニットと異なる点を説明する。
【０１０７】
図１１は、第２の実施の形態に係る便座ヒータ４５０を示す平面図である。図１１に示すように、本実施の形態に係る便座ヒータ４５０においては、第１の側部Ｘの内側縁部ＩＩ１の略中央部から中心線ＣＬに対してほぼ直交する方向に延びるように切り込み部Ｓ３が形成されている。また、第２の側部Ｙの内側縁部ＩＩ２の略中央部から中心線ＣＬに対してほぼ直交する方向に延びるように切り込み部Ｓ４が形成されている。本実施の形態においても、２つの切り込み部Ｓ３，Ｓ４は、中心線ＣＬを対称軸として互いに略線対称となる位置にそれぞれ設けられる。
【０１０８】
この場合、切り込み部Ｓ３により第１の側部Ｘの前方部分と後方部分との位置関係に自由度が与えられる。また、切り込み部Ｓ４により第２の側部Ｙの前方部分と後方部分との位置関係に自由度が与えられる。
【０１０９】
これにより、上部ケーシング４１０の下面への便座ヒータ４５０の貼り付け時に、後部Ｚならびに第１の側部Ｘおよび第２の側部Ｙの後方部分を上部ケーシング４１０の下面に位置決めして貼り付けた状態で、第１の側部Ｘの前方部分と第２の側部Ｙの前方部分とをそれぞれ独立して上部ケーシング４１０の下面に位置決めして貼り付けることができる。したがって、上部ケーシング４１０の下面と便座ヒータ４５０との間に空隙が生じることを十分に防止できるように、便座ヒータ４５０の後部Ｚならびに第１の側部Ｘおよび第２の側部Ｙを容易かつ確実に上部ケーシング４１０の下面に貼り付けることが可能となる。
【０１１０】
［Ｃ］第３の実施の形態
第３の実施の形態に係るシート状加熱ユニットについて、第１の実施の形態に係るシート状加熱ユニットと異なる点を説明する。
【０１１１】
図１２は、第３の実施の形態に係る便座ヒータ４５０を示す平面図である。図１２に示すように、本実施の形態に係る便座ヒータ４５０においては、中心線ＣＬの両側において、便座ヒータ４５０の後部Ｚの内側縁部ＩＩ３から前後方向に沿って延びるように２つの切り込み部Ｓ５，Ｓ６が形成されている。本実施の形態においても、２つの切り込み部Ｓ５，Ｓ６は、それぞれ便座ヒータ４５０の中心線ＣＬを対称軸として互いに略線対称となる位置にそれぞれ設けられる。
【０１１２】
この場合、切り込み部Ｓ５，Ｓ６により後部Ｚの中央部分、一端部分および他端部分との位置関係に自由度が与えられる。これにより、上部ケーシング４１０の下面への便座ヒータ４５０の貼り付け時に、後部Ｚの中央部分を上部ケーシング４１０の下面に位置決めして貼り付けた状態で、後部Ｚの一端部分および第１の側部Ｘと後部Ｚの他端部分および第２の側部Ｙとをそれぞれ独立して上部ケーシング４１０の下面に位置決めして貼り付けることができる。したがって、上部ケーシング４１０の下面と便座ヒータ４５０との間に空隙が生じることを十分に防止できるように、便座ヒータ４５０の後部Ｚならびに第１の側部Ｘおよび第２の側部Ｙを容易かつ確実に上部ケーシング４１０の下面に貼り付けることが可能となる。
【０１１３】
［Ｄ］他の実施の形態
（１）第１の実施の形態では、切り込み部Ｓ１，Ｓ２が上部ケーシング４１０の折曲部ＣＵと重なる位置に設けられるが、切り込み部Ｓ１，Ｓ２が上部ケーシング４１０の折曲部ＣＵと重なる位置からずれた位置に設けられてもよい。
【０１１４】
（２）第１〜第３の実施の形態では、便座ヒータ４５０の内側縁部ＩＩ１，ＩＩ２，ＩＩ３に２つの切り込み部が形成される。これに限らず、便座ヒータ４５０の内側縁部ＩＩ１，ＩＩ２，ＩＩ３に３つまたは４つ以上の切り込み部が形成されてもよい。例えば、便座ヒータ４５０に切り込み部Ｓ１，Ｓ２，Ｓ３，Ｓ４が形成されてもよく、便座ヒータ４５０に切り込み部Ｓ１，Ｓ２，Ｓ５，Ｓ６が形成されてもよく、便座ヒータ４５０に切り込み部Ｓ３，Ｓ４，Ｓ５，Ｓ６が形成されてもよく、便座ヒータ４５０に切り込み部Ｓ１，Ｓ２，Ｓ３，Ｓ４，Ｓ５，Ｓ６が形成されてもよい。これらの場合でも、それらの切り込み部により便座ヒータ４５０の各部の位置関係に自由度が与えられる。これにより、上部ケーシング４１０の下面と便座ヒータ４５０との間に空隙が生じることを十分に防止できるように、便座ヒータ４５０を容易かつ確実に上部ケーシング４１０の下面に貼り付けることが可能となる。
【０１１５】
（３）第１〜第３の実施の形態では、便座ヒータ４５０の第１の側部Ｘ、第２の側部Ｙの前方部分が内側に湾曲しているが、便座ヒータ４５０の第１の側部Ｘ、第２の側部Ｙの前方部分は内側に湾曲する部分を有しなくてもよい。この場合においても、便座ヒータ４５０の内側縁部ＩＩ１，ＩＩ２，ＩＩ３に複数の切り込み部が形成されることにより、便座ヒータ４５０の各部の位置関係に自由度が与えられる。これにより、上部ケーシング４１０の下面と便座ヒータ４５０との間に空隙が生じることを十分に防止できるように、便座ヒータ４５０を容易かつ確実に上部ケーシング４１０の下面に貼り付けることが可能となる。
【０１１６】
［Ｅ］請求項の各構成要素と実施の形態の各部との対応関係
以下、請求項の各構成要素と実施の形態の各部との対応の例について説明するが、本発明は下記の例に限定されない。
【０１１７】
上記実施の形態においては、着座部４１０Ｔが着座面の例であり、上部ケーシング４１０がケーシングの例であり、便座ヒータ４５０がシート状加熱ユニットの例であり、金属シート４７０および絶縁シート４９０が熱伝達部材の例であり、線状ヒータ４６０が発熱体の例である。
【０１１８】
また、図９および図１０の切り込み部Ｓ１，Ｓ２が第１の切り込みおよび第２の切り込みの例であり、図１１の切り込み部Ｓ３，Ｓ４が第３および第４の切り込みの例であり、図１２の切り込み部Ｓ５，Ｓ６が第５および第６の切り込みの例である。
【０１１９】
さらに、曲率最小部分ＣＵが曲率半径が最小となる部分の例である。
【０１２０】
請求項の各構成要素として、請求項に記載されている構成または機能を有する他の種々の要素を用いることもできる。
【産業上の利用可能性】
【０１２１】
本発明は、人体の局部を洗浄する衛生洗浄装置に有効に利用することができる。
【符号の説明】
【０１２２】
１００  衛生洗浄装置
１１０  便座装置
２００  本体部
４００  便座
４００Ｈ  中央部開口
４１０  上部ケーシング
４１０Ｔ  着座部
４５０  便座ヒータ
４６０  線状ヒータ
４６２  絶縁被覆層
４６３  エナメル線
４６３ａ  発熱線
４６３ｂ  エナメル層
４７０  金属シート
４７１，４７２  アルミニウム箔
４９０  絶縁シート
４９１，４９２  絶縁フィルム
５００  ノズル装置
Ｂ２  粘着層
ＣＵ  折曲部
ＣＬ  中心線
Ｉ１〜Ｉ３，ＩＩ１〜ＩＩ３  内側縁部
Ｊ１〜Ｊ３，ＪＪ１〜ＪＪ３  外側縁部
ＳＬ１，ＳＬ３  接線
ＳＬ２，ＳＬ４  直線
Ｓ１，Ｓ２，Ｓ３，Ｓ４，Ｓ５，Ｓ６  切り込み部
Ｒ１，Ｘ  第１の側部
Ｒ２，Ｙ  第２の側部
Ｒ３，Ｚ  後部
【図１】
2011056100.tif 000003
【図２】
2011056100.tif 000004
【図３】
2011056100.tif 000005
【図４】
2011056100.tif 000006
【図５】
2011056100.tif 000007
【図６】
2011056100.tif 000008
【図７】
2011056100.tif 000009
【図８】
2011056100.tif 000010
【図９】
2011056100.tif 000011
【図１０】
2011056100.tif 000012
【図１１】
2011056100.tif 000013
【図１２】
2011056100.tif 000014